(57)【要約】【課題】ブロック部品を連結していく遊びを通して、重心の概念を体得できる、ブロック玩具を提供すること。【解決手段】少なくとも表面の一部を面ファスナで被覆した、複数のミニブロックと、頂面（Ｓ１）と底面（Ｓ２）と側面を有し、前記側面が前記面ファスナとの連結面となる、柱状の支柱ブロックからなり、前記頂面（Ｓ１）と底面（Ｓ２）の面積比が、Ｓ１：Ｓ２＝１００：９０〜１００：１０である、ブロック玩具。【選択図】図１
0003216879.tif 000002
【実用新案登録請求の範囲】
【請求項１】
少なくとも表面の一部を面ファスナで被覆した、複数のミニブロックと、
頂面（Ｓ１）と底面（Ｓ２）と側面を有し、前記側面が前記面ファスナとの連結面となる、支柱ブロックからなり、
前記頂面（Ｓ１）と底面（Ｓ２）の面積比が、Ｓ１：Ｓ２＝１００：９０〜１００：１０である、ブロック玩具。
【請求項２】
少なくとも表面の一部を面ファスナで被覆した、複数のミニブロックと、
頂面（Ｓ１）と底面（Ｓ２）と側面を有し、前記側面が前記面ファスナとの連結面となる、支柱ブロックからなり、
前記支柱ブロックの底面がアール形状を有する、ブロック玩具。
【請求項３】
前記ミニブロックの表面の全面を面ファスナで被覆した、請求項１又は２に記載のブロック玩具。
【請求項４】
前記支柱ブロックの側面の全面を面ファスナで被覆した、請求項１〜３の何れかに記載のブロック玩具。
【請求項５】
前記面ファスナが、基布の同一面上にフック状係合子とループ状係合子が混在して設けられた面ファスナである、請求項１〜４の何れかに記載のブロック玩具。
【請求項６】
前記ミニブロックの形状が、多面体、錐体、柱体、楕円体の少なくとも何れかである、請求項１〜５の何れかに記載のブロック玩具。
【請求項７】
前記支柱ブロックの形状が、円柱もしくは角柱の何れかである、請求項１〜６の何れかに記載のブロック玩具。
【請求項８】
前記複数のミニブロックが、質量の異なる複数種類からなる、請求項１〜７の何れかに記載のブロック玩具。
【考案の詳細な説明】
【技術分野】
【０００１】
本考案は、ブロック玩具に関する。
【背景技術】
【０００２】
従来、ブロック玩具は、主に乳児向けの玩具であって、積み重ねたり、並べたり、崩したりの行為を楽しむ玩具として使用されてきた。
近年の知育玩具への関心の高まりを受けて、ブロック玩具でも、例えば、数の分解・合成の概念などの知識を遊びながら体得させることができるものなど、知育機能に重点をおいたものなどが提案されている（特許文献１）。
【０００３】
特許文献１のブロック玩具は、棒状ブロックと立方体ブロックを嵌合させながら縦方向（垂直方向）と横方向（水平方向）で様々な方向にブロック玩具を拡張させていくことができるため、自由な組み合わせから生まれる造詣により、楽しく遊びながら創造的感性が養われるというものである。
【０００４】
しかし、従来のブロック玩具として、ブロック部品を連結していく遊びを通して重心（物体のバランスがとれる点）の概念を体得できるものは知られていない。
【先行技術文献】
【特許文献】
【０００５】
【特許文献１】特許第６２８０６６７号公報
【考案の概要】
【考案が解決しようとする課題】
【０００６】
本考案はこのような事情に鑑みてなされたものであり、ブロック部品を連結していく遊びを通して、重心の概念を体得できる、ブロック玩具の提供を目的とする。
【課題を解決するための手段】
【０００７】
本考案者らは、鋭意検討の結果、所定形状のブロック部材を組み合わせて、かつ、面ファスナを用いることで、上記の課題が解決されうることを見出した。本考案はかかる知見に基づいて完成した。
【０００８】
本考案は、以下の［１］〜［７］を提供する。
［１］  少なくとも表面の一部を面ファスナで被覆した、複数のミニブロックと、頂面（Ｓ１）と底面（Ｓ２）と側面を有し、前記側面が前記面ファスナとの連結面となる、支柱ブロックからなり、前記頂面（Ｓ１）と前記底面（Ｓ２）の面積比が、Ｓ１：Ｓ２＝１００：９０〜１００：１０である、ブロック玩具。
［２］  少なくとも表面の一部を面ファスナで被覆した、複数のミニブロックと、頂面（Ｓ１）と底面（Ｓ２）と側面を有し、前記側面が前記面ファスナとの連結面となる、支柱ブロックからなり、前記支柱ブロックの底面がアール形状を有する、ブロック玩具。
［３］  前記ミニブロックの表面の全面を面ファスナで被覆した、［１］又は［２］に記載のブロック玩具。
［４］  前記支柱ブロックの側面の全面を面ファスナで被覆した、［１］〜［３］の何れかに記載のブロック玩具。
［５］  前記面ファスナが、基布の同一面上にフック状係合子とループ状係合子が混在して設けられた面ファスナである、［１］〜［４］の何れかに記載のブロック玩具。
［６］  前記ミニブロックの形状が、多面体、錐体、柱体、楕円体の少なくとも何れかである、［１］〜［５］の何れかに記載のブロック玩具。
［７］  前記支柱ブロックの形状が、円柱もしくは角柱の何れかである、［１］〜［６］の何れかに記載のブロック玩具。
［８］  前記複数のミニブロックが、質量の異なる複数種類からなる、［１］〜［７］の何れかに記載のブロック玩具。
【考案の効果】
【０００９】
本考案によれば、ブロック部品を連結していく遊びを通して、重心の概念を体得できる、ブロック玩具を提供することができる。
【図面の簡単な説明】
【００１０】
【図１】本発明の一実施形態におけるブロック玩具の全体斜視図である。
【考案を実施するための形態】
【００１１】
以下、本考案を詳細に説明するが、本考案は下記の実施形態に限定されるものではない。
【００１２】
＜ブロック玩具の構成＞
本実施形態に係るブロック玩具１は、図１に示すように、複数のミニブロック２と、支柱ブロック３から構成される。
【００１３】
ミニブロック２の表面の少なくとも一部を面ファスナで被覆し、支柱ブロック３の外側面（以下、側面）を、ミニブロック２の表面の面ファスナと接合可能な構造とすることで、ミニブロック２を支柱ブロック３の側面に脱着自在な状態で接着させることができ、繰り返しミニブロック２を脱着させて遊ぶことができる。
前記の「ミニブロック２の表面の面ファスナと接合可能な構造」は、具体的には、支柱ブロック３の側面を、前記ミニブロック２の面ファスナと接合可能な係合子を設けた面ファスナで被覆して実現することができる。また、前記ミニブロック２の面ファスナがフック状係合子を有する場合は、支柱ブロック３の側面を前記ミニブロック２の面ファスナと接合可能なループを有する布（ニット等）で構成して実現することもできる。
【００１４】
＜支柱ブロック＞
支柱ブロック３は、ミニブロック２を連結していく過程で、重心が変化して揺動する形状を有する。
具体的には、頂面（Ｓ１）と底面（Ｓ２）と側面を有し、前記側面が前記面ファスナとの連結面となる柱状を有し、前記頂面（Ｓ１）と前記底面（Ｓ２）の面積比が、Ｓ１：Ｓ２＝１００：９０〜１００：１０の条件を満たす形状、もしくは、支柱ブロックの底面がアール形状、の少なくとも何れかの形状を有する。
前記頂面（Ｓ１）と前記底面（Ｓ２）の面積比は、Ｓ１：Ｓ２＝１００：７０〜１００：１５であることが好ましく、Ｓ１：Ｓ２＝１００：６０〜１００：２０であることがより好ましい。
【００１５】
支柱ブロック３の形状は、円柱もしくは角柱の何れかであることが好ましい。
本実施形態に係るブロック玩具１は、図１に示すように、矩形状の頂面（Ｓ１）と該頂面から連続する４つの側面とから成る角柱状部分（３Ａ）と、矩形状の底面（Ｓ２）と該底面から連続する４つの側面とから成る角錐台状部分（３Ｂ）の組み合わせで構成されている。このように、複数の形状を組合せて支柱ブロック３を構成することもできる。
【００１６】
支柱ブロック３を構成する素材は、特に限定されないが、例えば、支柱ブロック３の本体を木材、合成樹脂、ゴム等で構成し、その本体の側面を面ファスナで被覆して、支柱ブロック３を構成することができる。
【００１７】
＜ミニブロック＞
ミニブロック２は、表面の全面を面ファスナで被覆したものであることが好ましい。
ミニブロック２の形状は、支柱ブロック３の側面と接合可能な形状であれば特に限定されないが、例えば、正四面体や正六面体等の正多面体、三角錐や四角錐等の角錐又は円錐等の錐体、円柱や角柱等の柱体、球等の楕円体を例示することができる。中でも、正六面体（立方体）とすることで、支柱ブロック３に連結したミニブロック２と新たなミニブロック２を、面ファスナを介して連結する態様の選択肢を増やすことができる。
【００１８】
本発明のブロック玩具１を構成する複数のミニブロック２は、質量の異なる複数の種類からなることが好ましい。
ミニブロック２として、質量の異なる複数の種類を用意することで、本発明のブロック玩具１を用いて、支柱ブロック３を転倒させずに連結することができたミニブロック２の数を競う、などの遊びを、より複雑なパターンで行うことができるようになる。
【００１９】
＜面ファスナ＞
上記の支柱ブロック３の側面やミニブロック２の表面を被覆する面ファスナとして、「マジックテープ（登録商標）」や「ベルクロ（登録商標）」の商標名で知られる面ファスナ、または樹脂からなるプラスチック製成形面ファスナを用いることができる。適用可能な面ファスナについて、それぞれフック状係合素子の高さは０．１ｍｍ〜２．０ｍｍ、ループ状係合素子の高さは１．０ｍｍ〜４．０ｍｍであることが好ましい。
【００２０】
面ファスナは、支柱ブロック３の側面やミニブロック２の表面に配置されるため、触感に優れる面ファスナを用いて形成することが好ましい。
当該観点から、製編織された基布の同一面上にフック状係合子とループ状係合子が混在して設けられた面ファスナであることが好ましい。前記ループ状係合子の高さが１．５〜４ｍｍで、かつ該フック状係合子の高さより０．１〜２．０ｍｍ高く設けられてなることが更に好ましい。フック状係合子をモノフィラメントから構成し、ループ状係合子を柔軟で感触の良いマルチフィラメントで構成することが最も好ましい。
【００２１】
面ファスナは、異なる彩色もしくは柄を付したものを多種類準備することが好ましい。
例えば、図１に示すように、支柱ブロック３の側面に、異なる柄の面ファスナを、格子模様を形成するように交互に貼付するとともに、同種の面ファスナを、正六面体（すなわち、立方体）のミニブロック２の各面に貼付して、ブロック玩具を構成することができる。このブロック玩具は、「同柄（もしくは同色）同士を貼り付ける」「同柄（もしくは同色）同士は貼り付けない」等のルールを作って、支柱ブロックとミニブロック、更には、支柱ブロックに連結したミニブロックと新たなミニブロックを、面ファスナを介して連結しながら、支柱ブロックを転倒させずに連結することができたミニブロック数を競う、などの遊びに用いることができる。
【実施例】
【００２２】
以下、実施例により本考案を具体的に説明するが、本考案はこれらの実施例により何ら制限されない。
【００２３】
下記形状を有する支柱ブロック１本と、ミニブロック３０個を作成した。
【００２４】
（実施例１［Ｓ１：Ｓ２＝１００：６４］）
＜支柱ブロック＞
頂面（Ｓ１）＝２５ｃｍ２（正方形状）
底面（Ｓ２）＝１６ｃｍ２（正方形状）、アール形状付与
高さ＝１０ｃｍ
＜ミニブロック＞
１辺＝１ｃｍの立方体
＜面ファスナ＞
支柱ブロックの外側面に、青色の面ファスナ（１ｃｍ×１ｃｍ）を、格子模様を形成するように貼付した。
正六面体（すなわち、立方体）のミニブロックの各面に、青色の面ファスナを貼付した。
【００２５】
（実施例２［Ｓ１：Ｓ２＝１００：６４］）
＜支柱ブロック＞
頂面（Ｓ１）＝２５ｃｍ２（正方形状）
底面（Ｓ２）＝１６ｃｍ２（正方形状）、アール形状なし
高さ＝１０ｃｍ
＜ミニブロック＞
１辺＝１ｃｍの立方体
＜面ファスナ＞
支柱ブロックの外側面に、青色の面ファスナを、格子模様を形成するように貼付した。
正六面体（すなわち、立方体）のミニブロックの各面に、青色の面ファスナを貼付した。
【００２６】
（比較例１［Ｓ１：Ｓ２＝１００：１００］）
＜支柱ブロック＞
頂面（Ｓ１）＝２５ｃｍ２（正方形状）
底面（Ｓ２）＝２５ｃｍ２（正方形状）、アール形状なし
高さ＝１０ｃｍ
＜ミニブロック＞
１辺＝１ｃｍの立方体
＜面ファスナ＞
支柱ブロックの外側面に、青色の面ファスナを、格子模様を形成するように貼付した。
正六面体（すなわち、立方体）のミニブロックの各面に、青色の面ファスナを貼付した。
【００２７】
（比較例２［Ｓ１：Ｓ２＝１００：９６］）
＜支柱ブロック＞
頂面（Ｓ１）＝２５ｃｍ２（正方形状）
底面（Ｓ２）＝２４ｃｍ２（正方形状）、アール形状なし
高さ＝１０ｃｍ
＜ミニブロック＞
１辺＝１ｃｍの立方体
＜面ファスナ＞
支柱ブロックの外側面に、青色の面ファスナを、格子模様を形成するように貼付した。
正六面体（すなわち、立方体）のミニブロックの各面に、青色の面ファスナを貼付した。
【００２８】
（比較例３［Ｓ１：Ｓ２＝１００：４］）
＜支柱ブロック＞
頂面（Ｓ１）＝２５ｃｍ２（正方形状）
底面（Ｓ２）＝１ｃｍ２（正方形状）、アール形状なし
高さ＝１０ｃｍ
＜ミニブロック＞
１辺＝１ｃｍの立方体
＜面ファスナ＞
支柱ブロックの外側面に、青色の面ファスナを、格子模様を形成するように貼付した。
正六面体（すなわち、立方体）のミニブロックの各面に、青色の面ファスナを貼付した。
【００２９】
（評価）
以下のルールの下、支柱ブロックとミニブロック、更には、支柱ブロックに連結したミニブロックと新たなミニブロック（最大３０個）を、面ファスナを介して連結するゲームを行った結果を下記表１に示す。
（ルール１）青色同士を貼り付ける
（ルール２）支柱ブロックの外側面の対向面に交互に連結する
【００３０】
【表１】
0003216879.tif 000003
【００３１】
上記の結果から明らかなように、本考案の構成要件を満足する実施例１〜２のブロック玩具によれば、ブロック部品（本発明におけるミニブロック）を連結していく過程で、重心を変化させて揺動させながら、転倒しないようにブロック部品を連結していく遊びができた。一方、本考案の構成要件を満足しない比較例１〜比較例２のブロック玩具では、全てのミニブロックを連結した後も支柱ブロックが転倒せず、比較例３のブロック玩具では、支柱ブロックが自立せず、何れも、上記の遊びには適さないことが確認された。
【産業上の利用可能性】
【００３２】
本考案のブロック玩具は、子供用の知育玩具、大人用のパーティー玩具、高齢者用の脳トレ玩具等の用途に用いることができる。
【符号の説明】
【００３３】
１    ブロック玩具
２    ミニブロック
３    支柱ブロック
３Ａ  角柱状部分
３Ｂ  角錐台状部分
Ｓ１    頂面
Ｓ２    底面
【図１】
0003216879.tif 000004